(57)【要約】【課題】非接触券も座席指定券とすることができるようにする。【解決手段】非接触式自動改札機と非接触券との間で交信する交信手段と、交信により前記非接触券から得られたデータ中から列車の座席の係る情報を抽出する抽出手段と、抽出された列車の座席に係る情報を前記非接触式自動改札機に表示する表示手段とからなる。【選択図】      図１
2004272320.tif 000002
【特許請求の範囲】
【請求項１】
非接触式自動改札機との間で非接触で交信して入出場する際に用いられる非接触券であって、列車の座席に係る情報を記憶する座席情報記憶部を設けたことを特徴とする非接触券。
【請求項２】
請求項１に記載の非接触券において、座席情報記憶部に記憶されている列車の座席に係る情報を表示する表示部を設けたことを特徴とする非接触券。
【請求項３】
非接触式自動改札機と非接触券との間で交信する交信手段と、
交信により前記非接触券から得られたデータ中から列車の座席の係る情報を抽出する抽出手段と、
抽出された列車の座席に係る情報を前記非接触式自動改札機に表示する表示手段と、
からなることを特徴とする非接触券を用いた座席管理システム。
【請求項４】
非接触式自動改札機と非接触券との間で交信する交信手段と、
交信により前記非接触券から得られたデータ中から列車の座席の係る情報を抽出する抽出手段と、
抽出された列車の座席に係る情報を列車に乗務する係員の所持する車掌端末機に送信する送信手段と、
からなることを特徴とする非接触券を用いた座席管理システム。
【発明の詳細な説明】
【０００１】
【発明の属する技術分野】
本発明は、非接触式自動改札機で用いられる非接触券、及びその非接触券を用いた座席管理システムに関する。
【０００２】
【従来の技術】
近年、定期券及びストアードフェアカード（ＳＦカード）を無線通信機能を備えたＩＣカードからなる非接触券とするとともに、自動改札機をその非接触券と交信してデータの読取り及び書込みを行うことのできるアンテナを備えたリーダライタを組込んで非接触式自動改札機とし、その非接触券と非接触式自動改札機との間でデータ授受を行って入出場（入場又は出場を意味している。）処理することが行われている（特許文献１参照。）。
【０００３】
【特許文献１】特開２００１−３２５６２３号公報
【０００４】
【発明が解決しようとする課題】
ところで、非接触券の利用者の普及拡大に伴って、その非接触券を定期券又はＳＦカード以外に、指定席列車の座席を指定する指定席券の機能をも持たせて利用者の一層の利便向上を図りたいとする要望がある。
【０００５】
しかしながら、非接触券を単に指定席券としたときは、従来の磁気券と異なり、非接触券に列車の座席に係る情報、すなわち、乗車日、列車名、号車名及び座席番号を表示することができず、そのまま採用することができないという不都合があった。
【０００６】
そこで、本発明は、上記不都合を解決するためになされたものであって、その目的は、指定席券として利用することのできる非接触券を提供するとともに、その非接触券を用いて指定席管理を効果的に実施できる非接触券を用いた座席管理システムを提供することにある。
【０００７】
【課題を解決するための手段】
本発明に係る非接触券は、上記目的を達成するために、請求項１に記載の発明は、非接触式自動改札機との間で非接触で交信して入出場する際に用いられる非接触券であって、列車の座席に係る情報を記憶する座席情報記憶部を設けたことを特徴としている。
本発明の請求項２に記載の非接触券は、座席情報記憶部に記憶されている列車の座席に係る情報を表示する表示部を設けたことを特徴としている。
本発明に係る非接触券を用いた座席管理システムは、上記目的を達成するために、請求項３に記載の発明は、非接触式自動改札機と非接触券との間で交信する交信手段と、交信により前記非接触券から得られたデータ中から列車の座席の係る情報を抽出する抽出手段と、抽出された列車の座席に係る情報を前記非接触式自動改札機に表示する表示手段と、からなることを特徴としている。
本発明に係る非接触券を用いた座席管理システムは、上記目的を達成するために、請求項４に記載の発明は、非接触式自動改札機と非接触券との間で交信する交信手段と、交信により前記非接触券から得られたデータ中から列車の座席の係る情報を抽出する抽出手段と、抽出された列車の座席に係る情報を列車に乗務する係員の所持する車掌端末機に送信する送信手段と、からなることを特徴としている。
【０００８】
【発明の実施の形態】
以下、本発明の実施の形態を図面に基づいて説明する。図１は、一実施の形態に係る非接触券を用いた座席管理システムの概略構成図である。図１中、Ｇは、駅の改札口に設置される非接触式自動改札機（以下、自動改札機で説明する。）であり、非接触券Ｃを処理できるように構成されている。なお、この自動改札機Ｇは、非接触券Ｃのみを処理する専用型とすることもでき、また、非接触券Ｃ及び図示しない磁気券からなる乗車券類の両方を処理できる兼用型ともすることができる。兼用型としたときは、自動改札機Ｇには、磁気券からなる乗車券類を処理するための磁気ヘッド等を備えたカードハンドラが組込まれる。
【０００９】
非接触券Ｃは、周知の無線通信機能を備えたＩＣカードからなる非接触券と同様に構成されている以外に、その券面の一部に表示部Ｃ′が設けられている。
【００１０】
図１中、１は、駅装置であり、自動改札機Ｇを図示しない監視盤を介して管理制御できるように構成されている。すなわち、この駅装置１は、周知の駅務機器制御装置、いわゆる駅制と同じものであり、自動改札機Ｇの通過人数の集計やＳＦカード（非接触券ＣのＳＦデータ）の集計処理等ができるように構成されている。そして、この駅装置１には、列車（図示せず）に乗務する係員である車掌が所持する携帯型の車掌端末機イと接触式に交信することのできる車掌端末処理機２が接続されている。なお、図１では省略されているが、車掌端末処理機２には、駅装置１を介して、又は直通、図示しない座席管理装置からの座席情報が送出されてくるように構成されている。この座席管理装置からの座席情報には、所定の指定席列車毎の指定券の販売情報が含まれている。
【００１１】
車掌端末機イの正面には、座席の空席情報等の所定の情報を表示するための表示部イ′と、その車掌端末機イを操作するキー群からなる操作部イ″とが設けられている。なお、表示部イ′をタッチパネルとしたときは、操作部イ″を簡略化することができる。また、この車掌端末機イは、車掌が乗車券を発行することのできる携帯用券発行機と兼用することもできる。さらに、この車掌端末機イには、非接触券Ｃと交信する機能とその非接触券Ｃに記憶されているデータを表示する機能を持たせて非接触券Ｃのチェッカーとしての機能を持たせることもできる。
【００１２】
図２は、自動改札機Ｇの制御器１０（図１では省略）及び非接触券Ｃの電気的構成を示すブロック図である。自動改札機Ｇの制御器１０側から説明すると、制御器１０は、メモリ１１に記憶されているシステムプログラムデータ及びワーキングデータを用いて入出場のための所定の演算処理を行う中央処理部（ＣＰＵ）１２を有している。
【００１３】
ＣＰＵ１２には，自動改札機Ｇの改札通路を開閉するドアを開閉駆動制御するドアユニット、自動改札機Ｇが兼用型の場合に磁気券を処理するカードハンドラ、改札通路内の利用者（旅客）を検知する人間検知ユニット等の各種処理を行うための処理ユニット１３と、非接触券Ｃと交信し、その非接触券Ｃを処理するためのアンテナ１４ａを備えたリーダライタ１４と、駅装置１側と通信するための通信制御部１５とが接続されている。
【００１４】
非接触券Ｃは、無線通信機能を有するＩＣカードと同様に構成されている。すなわち、この非接触券Ｃには、アンテナ２０ａを有する自動改札機Ｇ側と交信するための通信制御部２０と、非接触券Ｃ内において所定の演算処理を行うＣＰＵ２１と、システムプログラムデータ、定期券データ、ＳＦカードデータ及びカードＩＤデータ等の所定のカードデータを記憶する記憶部２３ａ、及び本発明の列車の座席に係る所定の情報を記憶する座席情報記憶部２３ｂを有するメモリ２２と、座席情報記憶部２３ｂに記憶されている情報（列車の乗車日、列車名、号車、座席番号等）を表示する表示部Ｃ′（図１参照）と、自動改札機Ｇからの電力波をアンテナ２０ａを介して受信し、非接触券Ｃの駆動電力を生成する電力生成回路２４と、表示部２３の駆動電源としてのバッテリ２５とを有している。このバッテリ２５は、交換可能とすることができる他に、電力生成回路２４の余剰電力を蓄える形ともすることができる。バッテリ２５の消耗を少なくするためには、非接触券Ｃにスイッチを設け、そのスイッチを押下しているときだけ表示部２３に所定の座席情報を表示させるようにしてもよい。
【００１５】
上記メモリ２２の座席情報記憶部２３ｂに記憶される列車の座席に係る所定の情報は、利用者が駅や旅行会社等の窓口で、又は、指定席券を発行することのできる自動券売機を介して所定の指定席券を購入したときに記憶される。そして、この記憶された情報は、途中下車以外の出場のときに、その非接触券が自動改札機Ｇで使用されたときに消去される。
【００１６】
また、非接触券Ｃに上述の列車の座席に係る情報が記憶されたとき、すなわち、指定席券が発行されたときは、図示しない座席管理装置から通信回線を用いて駅装置１を介して、又は直接、車掌端末処理機２に送出され、その情報が車掌端末処理機２のメモリ（後述のメモリ３１参照。）に記憶される。
【００１７】
図３は、車掌端末処理機２の制御器３０（図１では省略）及び車掌端末機イの電気的構成を示すブロック図である。車掌端末処理機２の制御器３０から説明すると、メモリ３１に記憶されているデータ（この中には、座席管理装置から送出されてきた座席に係るデータも含まれている。）を用いて所定の演算処理を行うＣＰＵ３２が設けられている。そして、このＣＰＵ３２には、車掌端末処理機２を操作するための表示画面やテンキー等からなる処理ユニット３３と、車掌端末機イを接続するための接続端子部３４と、駅装置１（座席管理装置側から駅装置１を介さずに所定の座席情報を取込むように構成されているときは、その座席管理装置も含む。）と通信を行うための通信制御部３５とが接続されている。
【００１８】
車掌端末機イは、車掌端末処理機２の接続端子部３４と接続するための接続端子部４０と、その接続端子部４０を介して車掌端末処理機２側と通信を行うための通信制御部４１と、メモリ４２に記憶されている所定のデータ（このデータの中には、駅装置１を介して取込まれた自動改札機Ｇで収集された入場に係る座席情報及び車掌端末処理機２側から得た所定の座席情報が含まれている。）を基に所定の演算処理を行うＣＰＵ４３と、上述した表示部イ′と、上述した操作部イ″と、車掌端末機イの駆動電源用のバッテリ４４とが含まれている。
【００１９】
なお、車掌端末処理機２と車掌端末機イとは、接続して通信を行うようにしたが無線を用いて通信を行うようにしてもよい。この場合は、車掌は、列車内で車掌端末処理機２側から所定の情報を入手することができる。
【００２０】
以下、図４（ａ）のフローチャートを用いて制御動作について説明する。今、所定の指定席券情報（座席情報）の記憶されている非接触券Ｃを用いて入場しようとしている利用者がいるものとする。その利用者により非接触券Ｃが自動改札機Ｇのアンテナ１４ａ（図２参照）に軽くタッチ又はかざされると、自動改札機Ｇと非接触券Ｃとの間でデータ授受が行われ、自動改札機Ｇの制御器１０において入場のための所定の演算処理が行われる（ステップ１００肯定、ステップ１０２。以下、ステップを「Ｓ」とする。）。
【００２１】
上述の演算処理の結果、非接触券Ｃを用いた入場が許可できるとき、すなわち、有効券と判定されたときは（Ｓ１０４肯定）、ドアが開かれて（自動改札機Ｇがノーマルオープン型のときはそのまま）、利用者の通過が許可されるとともに、自動改札機Ｇの図示しない表示画面には、非接触券Ｃから読取られた座席情報（列車名、号車名、座席Ｎｏ．等）が表示され、また、その入場に係る座席情報が駅装置１を介して車掌端末処理機２に送信される（Ｓ１０６）。もちろん、上述の演算処理の結果、入場を許可できない無効券のときは（Ｓ１０４否定）、ドアが閉じられて利用者の入場が拒否されるとともに、表示画面及びスピーカを介して係員処理案内等の所定の案内が行われる。
【００２２】
上述のように、非接触券Ｃが自動改札機Ｇで使用されたときに、その非接触券Ｃに記憶されている座席情報が自動改札機Ｇの表示画面に表示されるので、非接触券Ｃに表示部１を有しない通常の非接触券の利用者であっても、指定席の案内を受けることができる。
【００２３】
図４（ｂ）は、車掌端末機イの制御動作を示すもので、列車の出発間際に車掌端末機イが車掌端末処理機２に接続されると、車掌端末機イで指定された列車に係る指定席の販売情報及びその列車の指定席情報の入場情報（自動改札機Ｇから得られた入場情報で、非接触券Ｃ及び磁気券からなる指定席情報を含んでいる。）がメモリ４２に取込まれる（Ｓ２０２）。したがって、車掌は、必要に応じて車掌端末機イを操作して、メモリ４２に記憶されているその列車の指定席の販売状況から、どの指定席が販売済みでどの指定席が空席になっているかを知ることができるとともに、販売された指定席の利用者が入場（乗車）しているかを知ることができる。もし、空席になっているはずの指定席に利用者が座っているときは、その利用者に対して検札を行うことができる。
【００２４】
【発明の効果】
本発明の請求項１に記載の非接触券は、自動改札機との間で非接触で交信して入出場する際に用いられる非接触券であって、列車の座席に係る情報を記憶する座席情報記憶部を設けたので、記憶されている座席に係る情報を用いて自動改札機や車掌の所持する端末機等の機器にその情報の内容を表示させることが可能となり、非接触券を指定席券とすることが可能となる。
本発明の請求項２に記載の非接触券は、座席情報記憶部に記憶されている列車の座席に係る情報を表示する表示部を設けたので、利用者の所持する非接触券で座席に係る情報を表示させて見ることができる。
本発明の請求項３に記載の非接触券を用いた座席管理システムは、自動改札機と非接触券との間で交信する交信手段と、交信により前記非接触券から得られたデータ中から列車の座席の係る情報を抽出する抽出手段と、抽出された列車の座席に係る情報を前記自動改札機に表示する表示手段とからなるので、自動改札機の表示画面を用いて非接触券に記憶されている座席に係る情報を表示させることができる。
本発明の請求項４に記載の非接触券を用いた座席管理システムは、自動改札機と非接触券との間で交信する交信手段と、交信により前記非接触券から得られたデータ中から列車の座席の係る情報を抽出する抽出手段と、抽出された列車の座席に係る情報を列車に乗務する係員の所持する車掌端末機に送信する送信手段とからなるので、車掌は、車掌端末機を用いて指定席の管理を効率よく行うことができる。
【図面の簡単な説明】
【図１】本発明の一実施の形態に係る非接触券を用いた座席管理システムの概略構成図である。
【図２】自動改札機の制御器及び非接触券の電気的構成を示すブロック図である。
【図３】車掌端末処理機の制御器及び車掌端末機の電気的構成を示すブロック図である。
【図４】制御動作を示すフローチャートである。
【図１】
2004272320.tif 000003
【図２】
2004272320.tif 000004
【図３】
2004272320.tif 000005
【図４】
2004272320.tif 000006